(57)【要約】【課題】取付部の固定に際してコネクタ本体に引張力が生じても、コネクタ本体の歪みや変形を確実に防止することのできるカード用コネクタを提供する。【解決手段】上側ハウジング１１の側面上端に前後方向に延びる長孔１１ｃを設け、長孔１１ｃと取付部１１ａとの間部分に、取付部１１ａの固定によってコネクタ本体１０の上側ハウジング１１に応力を生ずる方向に弾性変形可能な可撓部１４を形成するようにしたので、取付部１１ａの固定による引張力を可撓部１４の弾性変形によって吸収することができ、コネクタ本体１０の上側ハウジング１１に引張応力を生ずることがない。【選択図】  図１
2004363035.tif 000002
【特許請求の範囲】
【請求項１】
一端側にカード挿入口を有するコネクタ本体と、コネクタ本体の他端側に設けられた複数のカード接続用端子と、コネクタ本体の幅方向両側にそれぞれ設けられた取付部とを備え、各取付部を任意の取付対象物に固定することにより、コネクタ本体を取付対象物に取付けるようにしたカード用コネクタにおいて、
前記コネクタ本体における取付部近傍の所定部分を取付部の固定によってコネクタ本体に応力を生ずる方向に弾性変形可能に形成した
ことを特徴とするカード用コネクタ。
【請求項２】
前記コネクタ本体の側面に前後方向に延びる長孔を設け、長孔と取付部との間部分をコネクタ本体の幅方向に弾性変形可能に形成した
ことを特徴とする請求項１記載のカード用コネクタ。
【請求項３】
前記取付部をコネクタ本体の側面下端の所定箇所から前後方向に延びる延設部の先端側に設け、延設部の基端側を上下方向に弾性変形可能に形成した
ことを特徴とする請求項１または２記載のカード用コネクタ。
【発明の詳細な説明】
【０００１】
【発明の属する技術分野】
本発明は、例えば車載用オーディオ機器、携帯端末、パーソナルコンピュータ及びその周辺機器等に用いられる、いわゆるメモリーカードが挿入されて電気的に接続されるカード用コネクタに関するものである。
【０００２】
【従来の技術】
従来、この種のカード用コネクタとしては、一端側にカード挿入口を有するコネクタ本体と、コネクタ本体内の他端側に設けられた複数のカード接続用端子とを備え、コネクタ本体のカード挿入口に挿入されたカードを前記カード接続用端子に電気的に接続するようにしたものが知られている（例えば、特許文献１参照。）。
【０００３】
また、前記コネクタでは、コネクタ本体の上面側を形成する金属製の上側ハウジングの幅方向両側にそれぞれ側方に突出する板状の取付部を設け、各取付部にはネジ挿通用の孔を設けてコネクタ本体を基板等にネジ止めしている。
【０００４】
【特許文献１】
特開２００３−８６２７２号公報
【０００５】
【発明が解決しようとする課題】
しかしながら、従来のコネクタでは、各取付部をネジによって基板等に締結すると、ネジの締結力によってコネクタ本体に引張応力が生じ、この応力が残留してコネクタ本体の歪みや変形の原因になるという問題点があった。
【０００６】
本発明は前記問題点に鑑みてなされたものであり、その目的とするところは、取付部の固定に際してコネクタ本体に引張力が生じても、コネクタ本体の歪みや変形を確実に防止することのできるカード用コネクタを提供することにある。
【０００７】
【課題を解決するための手段】
本発明は前記目的を達成するために、請求項１では、一端側にカード挿入口を有するコネクタ本体と、コネクタ本体の他端側に設けられた複数のカード接続用端子と、コネクタ本体の幅方向両側にそれぞれ設けられた取付部とを備え、各取付部を任意の取付対象物に固定することにより、コネクタ本体を取付対象物に取付けるようにしたカード用コネクタにおいて、前記コネクタ本体における取付部近傍の所定部分を取付部の固定によってコネクタ本体に応力を生ずる方向に弾性変形可能に形成している。これにより、取付部の固定によってコネクタ本体に引張力が加わると、取付部近傍の所定部分が弾性変形して引張力が吸収される。
【０００８】
また、請求項２では、請求項１記載のカード用コネクタにおいて、前記コネクタ本体の側面に前後方向に延びる長孔を設け、長孔と取付部との間部分をコネクタ本体の幅方向に弾性変形可能に形成している。これにより、請求項１の作用に加え、長孔を設けるのみの簡単な構成により、取付部近傍の所定部分を弾性変形可能に形成することが可能となる。
【０００９】
また、請求項３では、請求項１または２記載のカード用コネクタにおいて、前記取付部をコネクタ本体の側面下端の所定箇所から前後方向に延びる延設部の先端側に設け、延設部の基端側を上下方向に弾性変形可能に形成している。これにより、請求項１または２の作用に加え、延設部をコネクタ本体に設けるのみの簡単な構成により、取付部近傍の所定部分を弾性変形可能に形成することが可能となる。
【００１０】
【発明の実施の形態】
図１乃至図７は本発明の第１の実施形態を示すもので、図１はカード用コネクタの斜視図、図２乃至図５はその動作を示す平面断面図、図６はその要部斜視図、図７はその要部平面図である。
【００１１】
このコネクタは、一端側からカード１が挿入されるコネクタ本体１０と、カード１と電気的に接続する複数のカード接続用端子２０と、コネクタ本体内からカードを排出するカード排出機構３０と、コネクタ本体１０内に挿入されたカード１を検知するための一対のカード検知用端子４０，４１とから構成されている。
【００１２】
カード１は、内部に任意のデータを記録可能な記録媒体を有し、その一端側には記録媒体と電気的に導通する複数の端子１ａが設けられている。また、カード１の一端側の一側部には、コネクタのカード排出機構３０に係止する第１の凹部１ｂ及び第２の凹部１ｃが設けられている。
【００１３】
コネクタ本体１０は、金属板を成形してなる上側ハウジング１１と、合成樹脂の一体成型品からなる下側ハウジング１２とから構成され、各ハウジング１１，１２は互いに両側面部分を重ね合わせるように形成されている。コネクタ本体１０の一端側にはカード挿入口１０ａが設けられ、各ハウジング１１，１２間にはカード１を収容可能なスペースが形成されている。上側ハウジング１１の幅方向両側には、その側面下端から側方に延びる板状の取付部１１ａが設けられ、取付部１１ａにはネジ１３を挿通するための孔１１ｂが設けられている。また、上側ハウジング１１の計２箇所には前後方向に延びる長孔１１ｃが設けられ、各長孔１１ｃは取付部１１ａの側面上端に配置されている。即ち、各長孔１１ｃと取付部１１ａとの間部分は、上側ハウジング１１の幅方向に弾性変形可能な可撓部１４を形成している。
【００１４】
カード接続用端子２０はコネクタ本体１０の他端側に配置され、下側ハウジング１２に互いに幅方向に間隔をおいて保持されている。この場合、各端子２０の一端側はコネクタ本体１０内に配置され、その他端側はコネクタ本体１０の外部に配置されている。
【００１５】
カード排出機構３０はコネクタ本体１０内の一方の側部に設けられ、カード１と共にカード挿入方向に移動するスライド部材３１と、カード１の押圧操作によってスライド部材３１をカード１の所定の挿入位置でロック及びロック解除するロック部材３２とから構成されている。
【００１６】
スライド部材３１はコネクタ本体１０内の一方の側部に設けられ、カード１の第１の凹部１ｂに係止する係止部３１ａと、カード１の第２の凹部１ｃに係合する係合バネ３１ｂとを有している。また、スライド部材３１は、コイル状のスプリング３１ｃによってコネクタ本体１０の一端側に付勢されおり、スプリング３１ｃの内側には、カード挿入方向（スプリング３１ｃの伸縮方向）に延びるガイドピン３３が挿入されている。
【００１７】
ロック部材３２はコネクタ本体１０内の一方の側部に設けられ、スライド部材３１に対してカード挿入口１０ａ側に配置されている。このロック部材３２はスライド部材３１と共に移動する係合部材３４を係合する第１、第２及び第３の溝３２ａ，３２ｂ，３２ｃを有し、スライド部材３１の移動に伴って係合部材３４が各溝３２ａ，３２ｂ，３２ｃ内を移動するようになっている。
【００１８】
各カード検知用端子４０，４１はコネクタ本体１０の他方の側部に配置され、互いに前後方向に間隔をおいて下側ハウジング１２に保持されている。一方のカード検知用端子４０はカード挿入口１０ａに向かって延びる弾性片４０ａを有し、その先端側はカード挿入口１０ａの近傍まで延びている。また、弾性片４０ａの先端側にはコネクタ本体１０内に突出する突部４０ｂが設けられ、この突部４０ｂはコネクタ本体１０内に挿入されるカード１との接触により、弾性片４０ａを他方のカード検知用端子４１側に押圧するようになっている。即ち、他方のカード検知用端子４１は弾性片４０ａと接触可能な接点部４１ａを有し、突部４０ｂとカード１との接触よって弾性片４０ａが押圧されると、弾性片４０ａが接点部４１ａに接触するようになっている。
【００１９】
以上のように構成されたカード用コネクタにおいては、カード挿入口１０ａにカード１が挿入されると、図２に示すようにカード１の挿入によってスライド部材３１がコネクタ本体１０内の奥側に移動し、係合部材３４が第１の溝３２ａの一端側から他端側に移動する。ここで、カード１の押圧を解除すると、スプリング３１ｃによってスライド部材３１がカード挿入の反対方向に若干戻されるとともに、係合部材３４が第１の溝３２ａの他端側から第２の溝３２ａに移動する。これにより、図３に示すように係合部材３４が第２の溝３２ａの一端側に係止し、スライド部材３１がロックされる。
【００２０】
カード１を排出する場合は、図４に示すようにカード１を挿入方向に押圧すると、スライド部材３１がカード挿入方向に若干移動して、係合部材３４が第２の溝３２ａから第３の溝３２ｃに移動し、スライド部材３１のロックが解除される。カード１の押圧を解除すると、図５に示すように係合部材３４が第３の溝３２ｃに沿ってロック部材３２の一端側まで移動するとともに、スライド部材３１及びカード１がスプリング３１ｃによってコネクタ本体１０の一端側に向かって移動する。
【００２１】
また、前記コネクタを基板Ａに取付ける場合には、コネクタ本体１０の各取付部１１ａの孔１１ｂにそれぞれネジ１３を挿通し、各ネジ１３を基板Ａに締結することにより、各取付部１１ａが基板Ａに固定される。その際、コネクタ本体１０の上側ハウジング１１には各ネジ１３の締結力によって幅方向の引張力が加わるが、図７の一点鎖線で示すように長孔１１ｃと取付部１１ａとの間には上側ハウジング１１の幅方向に弾性変形可能な可撓部１４が形成されているため、可撓部１４の弾性変形によって前記引張力が吸収される。
【００２２】
このように、本実施形態のカード用コネクタによれば、コネクタ本体１０の取付部１１ａの近傍に、取付部１１ａの固定によってコネクタ本体１０の上側ハウジング１１に応力を生ずる方向に弾性変形可能な可撓部１４を形成することにより、取付部１１ａの固定による引張力を可撓部１４の弾性変形によって吸収するようにしたので、コネクタ本体１０の上側ハウジング１１に引張応力を生ずることがなく、上側ハウジング１１の歪みや変形を確実に防止することができる。
【００２３】
この場合、上側ハウジング１１の側面上端に前後方向に延びる長孔１１ｃを設け、長孔１１ｃと取付部１１ａとの間部分を可撓部１４として弾性変形可能に形成したので、長孔１１ｃを設けるのみの簡単な構成によって可撓部１４を形成することができ、製造上極めて有利である。
【００２４】
尚、前記実施形態では、長孔１１ｃを上側ハウジング１１の側面上端に設けたものを示したが、上側ハウジング１１に応力を生ずる方向に弾性変形可能な部分を形成できれば他の位置に設けるようにしてもよい。また、前記実施形態では長孔１１ｃを上側ハウジング１１の幅方向両側に設けたものを示したが、幅方向一端側のみ設けるようにしてもよい。
【００２５】
図８及び図９は本発明の第２の実施形態を示すもので、図８はカード用コネクタの要部斜視図、図９はその要部平面図である。尚、前記実施形態と同等の構成部分には同一の符号を付して示す。
【００２６】
本実施形態では、コネクタ本体１０の取付部１１ａを上側ハウジング１１の側面下端の前後方向所定箇所から前方に延びる延設部１１ｄの先端側に設け、延設部１１ｄの基端側は上下方向に弾性変形可能な可撓部１５を形成している。
【００２７】
即ち、各ネジ１３の締結によって上側ハウジング１１に幅方向の引張力が加わると、図９の一点鎖線で示すように可撓部１５が上方に弾性変形し、可撓部１５によって前記引張力が吸収される。
【００２８】
従って、本実施形態のカード用コネクタにおいても第１の実施形態と同様、取付部１１ａの固定による引張力を可撓部１５の弾性変形によって吸収することができるので、コネクタ本体１０の上側ハウジング１１に引張応力を生ずることがなく、上側ハウジング１１の歪みや変形を確実に防止することができる。
【００２９】
この場合、取付部１１ａを上側ハウジング１１の側面下端から前方に延びる延設部１１ｄの先端側に設け、延設部１１ｄの基端側を可撓部１５として上下方向に弾性変形可能に形成したので、上側ハウジング１１に延設部１１ｄを設けるのみの簡単な構成によって可撓部１５を形成することができ、製造上極めて有利である。
【００３０】
図１０は本発明の第３の実施形態を示すもので、第１の実施形態と同様、上側ハウジング１１に長孔１１ｃを設けるとともに、第２の実施形態と同様、上側ハウジング１１の側面下端から前方に延びる延設部１１ｄの先端側に取付部１１ａ設けたものである。これにより、各可撓部１４，１５によって取付部１１ａの固定による引張力を上側ハウジング１１の幅方向及び上下方向にそれぞれ吸収することができるので、上側ハウジング１１における引張応力の発生をより確実に防止することができる。
【００３１】
図１１は本発明の第４の実施形態を示すもので、上側ハウジング１１の側面下端の前後方向所定箇所から後方に延びる延設部１１ｄの先端側に取付部１１ａ設けたものである。これにより、第２の実施形態と同様、可撓部１５の上下方向の弾性変形によって取付部１１ａの固定による引張力を吸収することができる。
【００３２】
図１２は本発明の第５の実施形態を示すもので、第１の実施形態と同様、上側ハウジング１１に長孔１１ｃを設けるとともに、第４の実施形態と同様、上側ハウジング１１の側面下端から後方に延びる延設部１１ｄの先端側に取付部１１ａ設けたものである。これにより、第３の実施形態と同様、各可撓部１４，１５によって取付部１１ａの固定による引張力を上側ハウジング１１の幅方向及び上下方向にそれぞれ吸収することができる。
【００３３】
尚、前記各実施形態ではカード排出機構３０を備えたものを示したが、本発明は、カード排出機構を有さず、カードを把持したまま直接コネクタ本体内の端子と抜き差しするようにしたものにも適用することができる。
【００３４】
【発明の効果】
以上説明したように、請求項１のカード用コネクタによれば、取付部の固定に際して生ずるコネクタ本体への引張力を吸収することができるので、コネクタ本体に引張応力が生ずることがなく、コネクタ本体の歪みや変形を確実に防止することができる。
【００３５】
また、請求項２または３のカード用コネクタによれば、請求項１の効果に加え、簡単な構成によって取付部近傍の所定部分を弾性変形可能に形成することができるので、製造上極めて有利である。
【図面の簡単な説明】
【図１】本発明の第１の実施形態を示すカード用コネクタの斜視図
【図２】カード用コネクタの動作を示す平面断面図
【図３】カード用コネクタの動作を示す平面断面図
【図４】カード用コネクタの動作を示す平面断面図
【図５】カード用コネクタの動作を示す平面断面図
【図６】カード用コネクタの要部斜視図
【図７】カード用コネクタの要部平面図
【図８】本発明の第２の実施形態を示すカード用コネクタの要部斜視図
【図９】カード用コネクタの要部側面図
【図１０】本発明の第３の実施形態を示すカード用コネクタの要部斜視図
【図１１】本発明の第４の実施形態を示すカード用コネクタの要部斜視図
【図１２】本発明の第５の実施形態を示すカード用コネクタの要部斜視図
【符号の説明】
１…カード、１０…コネクタ本体、１１ａ…取付部、１１ｃ…長孔、１１ｄ…延設部、１４，１５…可撓部、２０…カード接続用端子。
【図１】
2004363035.tif 000003
【図２】
2004363035.tif 000004
【図３】
2004363035.tif 000005
【図４】
2004363035.tif 000006
【図５】
2004363035.tif 000007
【図６】
2004363035.tif 000008
【図７】
2004363035.tif 000009
【図８】
2004363035.tif 000010
【図９】
2004363035.tif 000011
【図１０】
2004363035.tif 000012
【図１１】
2004363035.tif 000013
【図１２】
2004363035.tif 000014